(57)【特許請求の範囲】
【請求項１】
圧縮空気用流通路（２）及び油容器（３）を持つハウジング（１）を含む圧縮空気注油器であって、流通路（２）が狭隘部（４）及び油容器（３）との少なくとも１つの接続部（６，７）を持ち、狭隘部（４）に接続される噴霧装置（８）が設けられ、油容器（３）の底に設けられて空気用流出ノズル（１５）及び油流入孔（１６）を持つ噴霧装置（８）が、流通路（２）からその狭隘部（４）の前で分かれる導管（９）を介して空気を供給され、噴霧装置（８）から、油霧を受入れかつ流通路（２）へ導入する接続管が延び、接続路に滴分離器として役立つ装置が設けられているものにおいて、接続路が狭隘部（４）へ通じる導管（１０）として構成され、導管（１０）に設けられる滴分離器（１１）が、孔により規定される開口を備えた衝突板（１２）及び油霧転向体によって形成されていることを特徴とする、圧縮空気注油器。
【請求項２】
狭隘部（４）に少なくとも１つの弾性的に偏向可能な部分を持つせき止め板（５）が設けられ、噴霧装置（８）へ至る導管（９）が、このせき止め板（５）の前で分かれていることを特徴とする、請求項１に記載の圧縮空気注油器。
【請求項３】
狭隘部（４）がベンチュリノズルとして構成されていることを特徴とする、請求項１又は２に記載の圧縮空気注油器。
【請求項４】
油霧を受入れかつ導入する導管（１０）が、せき止め板（５）のすぐ後で狭隘部へ通じていることを特徴とする、請求項２又は３に記載の圧縮空気注油器。ことを特徴とする、請求項５に記載の圧縮空気注油器。
【請求項５】
噴霧装置（８）の油流入孔（１６）が、側方へ自由に動くノズルニードル（１８）を中心に持つ環状ノズルとして構成されていることを特徴とする、請求項１〜４の１つに記載の圧縮空気注油器。
【発明の詳細な説明】
【技術分野】
【０００１】  本発明は、圧縮空気用流通路及び油容器を持つハウジングを含む圧縮空気注油器であって、流通路が狭隘部及び油容器との少なくとも１つの接続部を持ち、狭隘部に接続される噴霧装置が設けられ、油容器の底に設けられて空気用流出ノズル及び油流入孔を持つ噴霧装置が、流通路からその狭隘部の前で分かれる導管を介して空気を供給され、噴霧装置から、油霧を受入れかつ流通路へ導入する接続路が延び、接続路に滴分離器として役立つ装置が設けられているものに関する。
【背景技術】
【０００２】このような圧縮空気注油器は米国特許明細書第２９１３２３４号明細書に記載されている。ベンチュリノズルの形の狭隘部を持つ流通路を通って流れる空気流から、空気流の一部が油容器へ転向され、ここで噴霧装置において油滴を受入れるので、適当な油霧が生じる。この明細書から公知の圧縮空気注油器では、油霧が噴霧装置から出る時まず転向されて、油容器の油で満たされない上部範囲へ入り、ここから圧縮空気通路へ逆流する。その際油霧は、油容器内に延びる接続棒又は油容器の壁の内側へ当たり、それにより油霧から大きい油滴が分離されて、油容器へ戻るようにする。それにより噴霧装置から流通路への油霧の行程において、油滴分離が行われる。【０００３】このような滴分離には次の欠点が伴う。即ち噴霧装置において生じる油霧は油容器を経て導かれるので、油霧の流速が著しく遅くされる。更に油霧に含まれて更に送られる滴の量が、油容器の大きさ及び噴霧装置及び接続棒の配置により規定されてしまう。【０００４】  ノルグレンマイクロフォグクロフォグ注油器では、油滴が主空気通路へ落下し、そこで霧化し、滴分離器を経て大きすぎる滴が分離される。滴原理に基くすべての装置におけるように、これは、油霧に含まれ従って負荷へも供給される油量が脈動するという欠点を持っている。【０００５】  欧州特許出願公開第６５９１５号明細書に開示されている装置では、流通路から取出される圧縮空気が、導管を経て潤滑油貯蔵容器へ導入され、そこで潤滑油と混合される。生じる空気−油混合物は、分離して噴霧室の底に設けられる噴霧装置へ供給され、噴霧装置を経て噴霧室へ入れられる。噴霧室から空気−油混合物が、流通路の狭隘部へ開口する孔を経て、流通路へ導入される。
【発明の概要】
【発明が解決しようとする課題】
【０００６】  本発明の基礎になっている課題は、最初に述べた種類の圧縮空気注油器において、噴霧装置に発生される油霧における滴分離を、効果的な滴分離器を設けることによって改善し、圧縮空気注油器の大きさを縮小することである。
【課題を解決するための手段】
【０００７】  この課題の解決策は、本発明の有利な構成及び展開を含めて、この明細書の後に置かれる特許請求の範囲の内容から明らかになる。【０００８】  本発明に伴う利点として、噴霧装置が導管を経て流通路の狭隘部に直接接続されており、滴分離器を構成する衝突板が直接導管内に設けられているので、圧縮空気注油器の大きさが縮小される。滴分離の前に油霧の方向転換が行われないので、油霧が導管内に設けられる衝突板へ直接当たり、それにより滴分離が改善される。【０００９】  第１の実施形態によれば、狭隘部に少なくとも１つの弾性的に偏向可能な部分を持つせき止め板が設けられ、噴霧装置へ至る導管が、このせき止め板の前で分かれている。【００１０】  有利なように、狭隘部がベンチュリノズルとして構成することができる。これは高い効率を可能にする。なぜならば、ベンチュリノズル及び場合によってはせき止め板のほかに、別の流れ障害物が主空気通路に存在しないからである。【００１１】  有利なように、油霧用導管が、せき止め板のすぐ後で狭隘部へ通じているようにすることができる。【００１２】  本発明の別の特徴により、油霧用導管に滴分離器が設けられている。非常に微細で従って遠くへ搬送可能な油霧の連続的な供給が保証される。【００１３】滴分離器は、孔により規定される開口を備えた衝突板及び油霧転向体によって形成されている。【００１４】  本発明の有利な実施形態によれば、噴霧装置の油流入孔が、側方へ自由に動くノズルニードルを中心に持つ環状ノズルとして構成されている。それにより圧縮空気注油器が逆流しないので、正常作動中に流通方向とは逆向きに排気する際、過度な油供給を生じることがない。【００１５】  図面に示されている有利な実施例により、本発明が以下に詳細に説明される。
【図面の簡単な説明】
【００１６】
【図１】  本発明による圧縮空気注油器の断面図を示す。
【図２】  噴霧装置を持つ油容器の下部範囲を拡大寸法で示す。
【発明を実施するための形態】
【００１７】  圧縮空気注油器の図１に示されている実施例は、圧縮空気用流通路２を持つハウジング１を示している。
【００１８】  流通路２には、なるべくベンチュリノズル４として構成されて有利なようにせき止め板５を持つ狭隘部がある。このせき止め板５はなるべく１つの弾性的に転向可能な部分を持ち、この部分が非常に大きい圧力範囲にわたってほぼ一定な圧力差を生じる。流通方向においてベンチュリノズル４の前に、かつ適当なせき止め板５の前に、流通路２と容器３との接続個所６がある。ベンチュリノズル４の狭隘個所には、流通路２と容器３との第２の接続個所７がある。両方の狭隘個所６，７はなるべく滑り板１３により閉じることができる。
【００１９】  両方の狭隘個所６，７は、図２に一層大きい寸法で詳細に示されている噴霧装置８に接続されている。第１の接続個所６から、ホース９が噴霧装置８へ至り、噴霧装置８は実質的に剛性の管１０を介して第２の接続個所７に接続され、管１０が噴霧装置８を機械的にも保持又は固定している。噴霧装置８から第２の接続個所へ至る管１０の上部において、ハウジング１への移行部のすぐ前に滴分離器１１が設けられている。
【００２０】  噴霧装置８は、機能を外部から監視できるようにするため、容器３の最も深い点でなるべく点検ガラス１７内に設けられ、１つ又は複数の空気ノズル１５及び１つ又は複数の油流入孔１６を含むノズル板１４から成っている。油流入孔１６は環状ノズルとして構成され、中央に側方へ自由に可動なノズルニードル１８を持ち、このノズルニードル１８が一方では油の流通を限定し、他方ではその可動性によりノズルのふさがりを防止する。
【００２１】  圧縮空気が注油器を通って流れると、ベンチュリノズル４及び場合によってはせき止め板５により、容器３と流通路２との間に差圧が発生される。今や接続個所６から空気がホース９を経て噴霧装置８へ流入する。ノズル１５から出る空気は、まず管１０にある油を上方へ押すが、この油は滴分離器１１にある側方開口を通って再び容器３へ流れ戻る。その場合噴霧装置８に生じる油霧は、空気流により滴分離器１１へ送られる。
【００２２】  滴分離器１１は、油霧のみが滴と共に特定の量まで更に搬送されるように、寸法を定められかつ調節可能である。分離されるすべての滴は油容器３へ戻る。そのため滴分離器１１は衝突板１２を含み、噴霧装置８から渦を巻いて上がる滴がこの衝突板１２へ当たる。管１０の空気流は、衝突板１２により側方へ管１０外へ転向され、衝突板１２より上で再び管１０へ入り、続いて接続個所７へ達し、そこで油霧が流通路２へ達する。側方転向の大きさ及び管１０における開口の長さは、分離される滴の数及び大きさを決定する。衝突板１２は、要求される油量に応じて、１つ又は複数の穴を持つようにも構成可能である。
【００２３】  管１０にある入口の上で衝突板１２の上に取付け可能で移動可能な適当なスリーブによって、小油滴と共に空気流が管１０へ再び入るための入口の断面を更に変化することができる。それにより接続個所７を経て主空気流へ導かれる油霧のそれ以上の配量が可能である。
【００２４】  本発明による圧縮空気注油器は、作動中に油容器３の追加充填が可能であるという付加的な利点を持っている。全システムは圧力を受けているが、油を容器３へ追加充填することができる。そのためハウジング１にある注入ねじが、１回転以下なるべく９０°だけ、停止突起へ向かって回される。この回転中に、注入ねじの下端に偏心して設けられているピンが、容器３へ至る流通路２の接続孔６，７を遮断する滑り板１３を動かす。ストッパへ達する直前に、周囲への容器３の圧力逃がしが行われる。それから注入ねじの回転を限定したストッパ突起が下方へ押され、それにより注入ねじが別の値なるべく９０°だけ回されて、ハウジング１から引抜かれる。その時油を、今や圧力のない容器へ注入することができる。それから注入ねじがハウジング１へはめられ、ストッパ突起を介して回し戻される。この回転中に注油器は再び圧密にされ、流通路２へ至る接続孔６，７が滑り板１３により再び開かれるので容器３が再び圧力を受ける。
【図１】
0005580336.tif 000002
【図２】
0005580336.tif 000003